(57)【要約】【課題】半田付け時に受ける負荷などによって傾いたり、プラグ類の抜差し時に受ける負荷などによってパターン剥がれを起こしていた。さらに、固定作業に多くの手間を必要としていた。【解決手段】各接続端子７０は、固定具１０の後方壁２０等によって背面側を支持され、側面保持用リブ３０等によって左右側面を支持されることにより、基板８０上に強固に固定され、特に、半田付け時に生じやすい各接続端子７０の傾きを防止できる。また、基板８０をテレビジョンキャビネット９０に取付ける際には、固定具１０とテレビジョンキャビネット９０とを一箇所で固定し、各接続端子７０を少ない作業でテレビジョンキャビネット９０に対して強固に固定する。その結果、各接続端子７０に強度の負荷がかかって生じ得るいわゆるパターン剥がれを防止できる。【選択図】  図２
2005150004.tif 000002
【特許請求の範囲】
【請求項１】
基板上の所定位置に半田付けされる複数の接続端子を、固定具を用いて同基板上に固定し、同基板をテレビジョンキャビネットの所定位置に取付けるテレビジョンにおいて、
上記固定具は、樹脂製の成型品であって、
上記複数の接続端子の各背面をそれぞれ一部分覆う後方壁と、同後方壁の各接続端子の背面と相対する側の面上の複数箇所から前方向に向かって延設され各接続端子の左右側面を覆うとともに、各接続端子の側面上の所定位置に夫々備えられたビス穴を形成する突出部に対応する箇所に、同突出部を通過させる切欠部を形成する側面保持用リブと、同後方壁の左右両端から下方向に向かって上記基板に係止可能な長さに夫々延設されるとともに、各先端部位において一の側面から突出して形成された段部と同段部から各先端が先細りとなる方向に傾斜する斜面とを有す左右の脚部と、同後方壁の一部を、同基板を上記テレビジョンキャビネットに取付けた際に同テレビジョンキャビネットの内壁と略接触する程に前方向に突出させ、かつ同内壁と略接触する面上にビス穴を一つ設けて形成した突出面とを備え、
上記基板は、上記左右の脚部の先端部位と対向する各部位に、各先端部位を挿入するための貫通穴を備えることを特徴とするテレビジョン。
【請求項２】
固定具を用いて複数の接続端子を基板上の所定位置に固定する接続端子固定構造であって、
上記固定具は、上記複数の接続端子の各背面を覆う後方壁と、同後方壁の各接続端子の背面と相対する側の面上の複数箇所から前方向に向かって延設され各接続端子の左右側面を覆う側面保持用リブと、少なくとも一以上の、同後方壁の所定位置から下方向に向かって上記基板に係止可能な長さに延設される脚部と、同固定具を上記複数の接続端子に装着した状態で同基板を電気装置の筺体に取付けた際に同筺体の内壁と略接触する面部であって同面部に固定手段を有する取付面とを備え、
上記脚部の先端部位および上記基板における同先端部位と対向する部位には、上記基板に対して上記固定具を係止するための固定具係止部が形成されることを特徴とする接続端子固定構造。
【請求項３】
上記後方壁は、上記複数の接続端子の各背面をそれぞれ一部分覆うことを特徴とする請求項２に記載の接続端子固定構造。
【請求項４】
上記側面保持用リブは、上記複数の接続端子が夫々備える固定手段が形成された突出部に対応する箇所に同突出部を通過させる切欠部を形成することを特徴とする請求項２または請求項３のいずれかに記載の接続端子固定構造。
【請求項５】
上記脚部は、上記後方壁の左右両端の二箇所において延設されることを特徴とする請求項２〜請求項４のいずれかに記載の接続端子固定構造。
【請求項６】
上記取付面は、ビス穴を一つ形成することを特徴とする請求項２〜請求項５のいずれかに記載の接続端子固定構造。
【請求項７】
上記固定具係止部は、上記脚部の一の側面から突出して形成された段部及び同段部から先端が先細りとなる方向に傾斜する斜面とを有す先端部位と、同先端部位を挿入するための貫通穴とからなることを特徴とする請求項２〜請求項６のいずれかに記載の接続端子固定構造。
【請求項８】
上記複数の接続端子の左右側面を夫々覆う各組の側面保持用リブ間の距離は、上記固定具を上記複数の接続端子に装着する際に、各接続端子が同側面保持用リブ間に圧入されるように設定されることを特徴とする請求項２〜請求項７のいずれかに記載の接続端子固定構造。
【請求項９】
上記固定具は、樹脂製の成型品であることを特徴とする請求項２〜請求項８のいずれかに記載の接続端子固定構造。
【発明の詳細な説明】
【技術分野】
【０００１】
本発明は、テレビジョンおよび接続端子固定構造に関し、特に、基板上に実装した接続端子を所定の固定具を用いて固定するテレビジョンおよび接続端子固定構造に関する。
【背景技術】
【０００２】
従来、接続端子を半田付けして実装した基板をテレビジョンなどのキャビネットに取付ける際には、各接続端子を同キャビネットに夫々ビス止め等して固定していた。
【０００３】
また、従来技術として、基板に対してジャックを固定するためのジャック固定装置であって、前記ジャックの側面を保持する側面保持部と、前記ジャックの上面及び前記基板が収容される筺体の間に位置して前記ジャックの上面を支持する上面支持部とを具備したジャック固定装置が知られている（例えば、特許文献１参照。）。
上記文献においては、基板上の複数のジャックに上記ジャック固定装置を装着し、上下カバーからなる筺体を上下から組み合わせることによってジャックが基板に固定される。
【特許文献１】実開平６‐１１２８０号公報
【発明の開示】
【発明が解決しようとする課題】
【０００４】
上述したように、各接続端子を一つずつキャビネットにビス止めする場合には、多くの作業を必要とするという課題があった。加えて、部品点数も多いために生産コストが高かった。
また、上記特許文献１の記載においては、ジャック固定装置単独でジャックを基板上に固定することができないという課題があった。さらに、上記ジャック固定装置は、上面支持部が複数のジャックの上面を覆う構成となっているため、高さの異なる複数のジャックの固定には用いることができなかった。
【０００５】
本発明は、上記課題にかんがみてなされたもので、複数の接続端子を基板上に強固に固定するとともに、同複数の接続端子を同基板を収容する筺体に簡易に固定することの可能なテレビジョンおよび接続端子固定構造を提供することを目的とする。
【０００６】
上記目的を達成するため、請求項１にかかる発明は、基板上の所定位置に半田付けされる複数の接続端子を、固定具を用いて同基板上に固定し、同基板をテレビジョンキャビネットの所定位置に取付けるテレビジョンにおいて、上記固定具は、樹脂製の成型品であって、上記複数の接続端子の各背面をそれぞれ一部分覆う後方壁と、同後方壁の各接続端子の背面と相対する側の面上の複数箇所から前方向に向かって延設され各接続端子の左右側面を覆うとともに、各接続端子の側面上の所定位置に夫々備えられたビス穴を形成する突出部に対応する箇所に、同突出部を通過させる切欠部を形成する側面保持用リブと、同後方壁の左右両端から下方向に向かって上記基板に係止可能な長さに夫々延設されるとともに、各先端部位において一の側面から突出して形成された段部と同段部から各先端が先細りとなる方向に傾斜する斜面とを有す左右の脚部と、同後方壁の一部を、同基板を上記テレビジョンキャビネットに取付けた際に同テレビジョンキャビネットの内壁と略接触する程に前方向に突出させ、かつ同内壁と略接触する面上にビス穴を一つ設けて形成した突出面とを備え、上記基板は、上記左右の脚部の先端部位と対向する各部位に、各先端部位を挿入するための貫通穴を備える構成としてある。
【０００７】
上記のように構成した請求項１にかかる発明においては、基板上の所定位置に半田付けされる複数の接続端子を、固定具を用いて同基板上に固定する。また、同基板はテレビジョンキャビネットの所定位置に取付けられる。
ここで、固定具単独で接続端子を基板上に固定できない等、同基板上に接続端子が強固に固定されていない状態で同基板を半田槽を通過させて各種電子部品の半田付けすると、かかる固定度の弱い接続端子が外部からの衝撃によって傾くということが生じかねなかった。この傾いた状態で半田が固まると、接続端子が傾いた状態で基板上に固定されてしまうという不都合が生じ得た。また、製品組み立て後にユーザが接続端子に対してプラグを抜差しする際には、同接続端子の信号ラインに対応するパターンに強度の負荷がかかる。従って、かかる負荷によるいわゆるパターン剥がれを防ぐためにも、接続端子を強固に固定する必要がある。
【０００８】
そこで、本発明においては、複数の接続端子に上記固定具を装着した際に、上記後方壁が複数の接続端子の各背面をそれぞれ一部分覆う。同後方壁の各接続端子の背面と相対する側の面上の複数箇所から前方向に向かって延設される側面保持用リブは、各接続端子の左右側面を覆う。固定具は複数の接続端子を背面側から覆うため、各接続端子の高さが夫々異なる場合でも各接続端子を支持することができる。また、各接続端子の背面全体を覆わないことで材料の削減が可能となり、コストの低下にもつながる。かかる後方壁及び側面保持用リブに覆われることにより、各接続端子は左右方向及び前方向からの負荷を受けた場合にも固定具によって強固に支持される。
【０００９】
各脚部は、後方壁の左右両端から下方向に向かって上記基板に係止可能な長さに夫々延設されている為、左右の脚部が基板に到達した際に、同基板上の左右脚部の先端部位と対向する各部位に形成された貫通穴に各先端部位が挿入される。その結果、固定具が複数の接続端子を固定した状態で基板上に係止される。各先端部位には、一の側面から突出して形成された段部と同段部から各先端が先細りとなる方向に傾斜する斜面とが形成されているため、貫通穴に挿入する際には挿入しやすく、一度貫通穴に各先端部位が挿入されると、段部が貫通穴の裏側の縁部に引っ掛かるため抜け難い。
【００１０】
従来、基板をテレビジョンキャビネットに取付ける際には各接続端子を夫々テレビジョンキャビネットにビス止め等していたため、各接続端子は側面上の所定位置に、ビス穴を形成した突出部を備えている場合が多い。そこで、上記側面保持用リブは、固定具を複数の接続端子に装着した際に同突出部と対応する箇所に、同突出部を通過させる切欠部を形成するようにした。かかる切欠部を形成することで、従来から使用していた突出部を備える接続端子を容易に基板上に固定することができる。また、切欠部を突出部が通過するように固定具は装着されるため、固定具の各接続端子及び基板に対する上下の位置が確実に定まる。
【００１１】
このように、各接続端子は固定具によって基板上に強固に固定されるため、基板上における位置ずれや部品の傾き等が防がれ、特に、基板に半田槽を通過させて各種電子部品を半田付けする際に生じやすい各接続端子の傾きが防止される。
基板を上記テレビジョンキャビネットに取付けた際には、後方壁の一部である突出面が同テレビジョンキャビネットの内壁と略接触する。突出面にはビス穴が一つ形成されており、同ビス穴を利用して突出面とテレビジョンキャビネットとをビス止めする。その結果、固定具は一箇所のみでテレビジョンキャビネットに固定される。すなわち、基板上に各接続端子を固定する固定具をテレビジョンキャビネットに対して一箇所で固定することにより、各接続端子を夫々テレビジョンキャビネットに固定する作業が不要となり、作業の効率性が大きく上がる。
【００１２】
テレビジョンの製品組み立て後においては、固定具は基板及びテレビジョンキャビネットに対して固定されるため、固定具自体がテレビジョン内部の所定位置に強固に支持されることになる。その結果、接続端子が外部から強度の負荷を受けた場合にも、接続端子は固定具によって強力に支持さる。特に、ユーザが接続端子に対してプラグを抜差しする際等に同接続端子の信号ラインに対応するパターンに強度の負荷がかかることによって生じ得る、いわゆるパターン剥がれを防ぐことができる。
なお、固定具は樹脂製の成型品としている。
【００１３】
請求項２にかかる発明は、固定具を用いて複数の接続端子を基板上の所定位置に固定する接続端子固定構造であって、上記固定具は、上記複数の接続端子の各背面を覆う後方壁と、同後方壁の各接続端子の背面と相対する側の面上の複数箇所から前方向に向かって延設され各接続端子の左右側面を覆う側面保持用リブと、少なくとも一以上の、同後方壁の所定位置から下方向に向かって上記基板に係止可能な長さに延設される脚部と、同固定具を上記複数の接続端子に装着した状態で同基板を電気装置の筺体に取付けた際に同筺体の内壁と略接触する面部であって同面部に固定手段を有する取付面とを備え、上記脚部の先端部位および上記基板における同先端部位と対向する部位には、上記基板に対して上記固定具を係止するための固定具係止部が形成される構成としてある。
【００１４】
上記のように構成した請求項２にかかる発明においては、複数の接続端子を基板上の所定位置に固定具を用いて固定する。固定具を複数の接続端子に装着すると、後方壁が同複数の接続端子の各背面を覆う。また、後方壁の各接続端子の背面と相対する側の面上の複数箇所から前方向に向かって延設された側面保持用リブは、各接続端子の左右側面を覆う。同後方壁の所定位置からは、少なくとも一以上の脚部が下方向に向かって延設されており、同脚部は上記基板に係止可能な長さに設定されている。同脚部の先端部位及び上記基板における同先端部位と対向する部位には固定具係止部が形成されているため、同脚部の先端部位が上記基板に到達した際に、固定具は上記基板に係止される。
【００１５】
上記構成下、複数の接続端子は固定具によって基板上に強固に固定されるため、左右方向及び前方向からの負荷を受けた場合にも基板上における位置ずれや部品の傾き等が防止される。また、請求項１の発明と同様に、基板に半田槽を通過させて各種電子部品を半田付けする際に生じやすい各接続端子の傾きを防止することができる。
【００１６】
固定具を複数の接続端子に装着した状態で基板を電気装置の筺体に取付けた際には、上記取付面が同筺体の内壁と略接触する。取付面には固定手段が形成されている為、同固定手段によって取付面と筺体とを固定する。その結果、固定具は取付面を介して筺体に固定される。すなわち、基板上に各接続端子を固定する固定具を電気装置の筺体に対して一箇所で固定することにより、各接続端子をそれぞれ筺体に固定する作業が不要となり、作業の効率性が大きく上がる。また、固定具は基板及び筺体に対して固定されるため、固定具自体が電気装置内部の所定位置に強固に支持されることになる。その結果、請求項１の発明と同様に、接続端子が外部から強度の負荷を受けた場合にも、接続端子は固定具によって強力に支持され、いわゆるパターン剥がれをも防ぐことができる。
【００１７】
請求項３にかかる発明は、上記請求項２に記載の接続端子固定構造において、上記後方壁は、上記複数の接続端子の各背面をそれぞれ一部分覆う構成としてある。
上記後方壁は、必ずしも各接続端子の背面の全範囲を覆う必要は無い。各背面の一部分の範囲を覆うことにより、各接続端子を背面側から支持することができ、各接続端子が前方向からの負荷を受けて後方に位置ずれしたり傾いたりすることを防止できる。加えて、後方壁が各接続端子の背面全体を覆わないことで材料を削減でき、製造コストの低下を実現できる。
【００１８】
請求項４にかかる発明は、上記請求項２または請求項３のいずれかに記載の接続端子固定構造において、上記側面保持用リブは、上記複数の接続端子が夫々備える固定手段が形成された突出部に対応する箇所に同突出部を通過させる切欠部を形成する構成としてある。  
【００１９】
従来においては、各接続端子を電気装置の筺体に一つずつ固定していたため、各接続端子は固定手段を形成した突出部を備えている場合が多い。そこで、上記のように構成した請求項４にかかる発明においては、上記側面保持用リブは、上記複数の接続端子が夫々備える固定手段が形成された突出部に対応する箇所に同突出部を通過させる切欠部を形成する。かかる切欠部を形成することで、従来から使用していた突出部を備える接続端子を容易に基板上に固定することができる。また、固定具を装着する際には、突出部が切欠部を通過するように装着しなければならないため、同切欠部を有する構成とすることにより、固定具の各接続端子及び基板に対する上下位置が確実に定まる。
【００２０】
請求項５にかかる発明は、上記請求項２〜請求項４のいずれかに記載の接続端子固定構造において、上記脚部は、上記後方壁の左右両端の二箇所において延設される構成としてある。
脚部の数や設置位置は種々の態様が考えられるが、一例として、上記請求項５にかかる発明においては、上記脚部は、上記後方壁の左右両端の二箇所において延設されるとした。脚部を後方壁の左右両端から夫々延設すれば、固定具は左右両端において基板に係止されるため、固定具全体が安定した状態で強固に基板に係止される。
【００２１】
請求項６にかかる発明は、上記請求項２〜請求項５のいずれかに記載の接続端子固定構造において、上記取付面は、ビス穴を一つ形成する構成としてある。
すなわち、固定具を複数の接続端子に装着した状態で基板を電気装置の筺体に取付けた際に、同ビス穴を利用して、取付面と筺体とを一箇所でビス止めする。一箇所ビス止めするだけなので、各接続端子を夫々筺体に固定する場合と比べて、作業が非常に容易である。
【００２２】
固定具は、基板に係止する際には係止しやすく、一旦基板に係止されて、接続端子を基板に固定した後はその係止状態が解除され難い形状であることが望ましい。そこで、請求項７にかかる発明は、上記請求項２〜請求項６のいずれかに記載の接続端子固定構造において、上記固定具係止部は、上記脚部の一の側面から突出して形成された段部及び同段部から先端が先細りとなる方向に傾斜する斜面とを有す先端部位と、同先端部位を挿入するための貫通穴とからなる構成としてある。
【００２３】
上記のように構成した請求項７にかかる発明においては、上記先端部位を、基板上の同先端部位と対向する部位に形成された上記貫通穴に挿入することによって固定具を基板に係止する。先端部位は、段部から先端が先細りとなる方向に傾斜する斜面を有しているため先端が最も細く、貫通穴に挿入し易い形状となっている。そして、段部が貫通穴を通過して基板の裏側に出る深さまで先端部位を貫通穴に挿入する。段部は、上記脚部の一の側面から突出しているため、上記のように一旦先端部位を貫通穴に挿入すると、段部が基板の裏側における貫通穴の縁部に当接して固定具と基板との係止状態が解除され難くなる。
【００２４】
請求項８にかかる発明は、上記請求項２〜請求項７のいずれかに記載の接続端子固定構造において、上記複数の接続端子の左右側面を夫々覆う各組の側面保持用リブ間の距離は、上記固定具を上記複数の接続端子に装着する際に、各接続端子が同側面保持用リブ間に圧入されるように設定される構成としてある。
【００２５】
上記のように構成した請求項８にかかる発明においては、各接続端子の左右側面を夫々覆う各組の側面保持用リブ間の距離を、各接続端子を側面保持用リブ間に圧入する必要がある程度に設定する。側面保持用リブ間の距離をかかる設定とすれば、固定具が複数の接続端子に装着された場合に側面保持用リブが各接続端子の左右側面に確実に密着するとともに、各接続端子は左右からある程度の力でホールドされた状態となる。その結果、複数の接続端子は固定具によってより強固に基板上に固定される。
【００２６】
固定具の材質としては種々の材質を選択可能であるが、その一例として、請求項９にかかる発明は、上記請求項２〜請求項８のいずれかに記載の接続端子固定構造において、上記固定具は、樹脂製の成型品である構成としてある。樹脂製の成型品とすれば、一つの金型で固定具を容易に量産することができ、一つ当たりの生産コストも安価である。また、樹脂製とすれば弾性を有するため、固定具によって複数の接続端子を基板上に固定する際に、各接続端子に装着しやすく、かつ、脚部の先端部位を基板の貫通穴に挿入しやすい。
【発明の効果】
【００２７】
以上説明したように、請求項１にかかる発明によれば、複数の接続端子を基板上およびテレビジョンキャビネットに対して少ない部品点数で効率的に、かつ強固に固定し、同接続端子の傾きや、いわゆるパターン剥がれ等を防止可能なテレビジョンを提供することができる。
また、請求項２にかかる発明によれば、複数の接続端子を基板上および電気装置の筺体に対して少ない部品点数で効率的に、かつ強固に固定し、同接続端子の傾きや、いわゆるパターン剥がれ等を防止可能な接続端子固定構造を提供することができる。
さらに、請求項３にかかる発明によれば、少ない材料で各接続端子の背面を支持し、同接続端子が後方に位置ずれしたり傾いたりすることを防止でき、固定具の製造コストの低下をも実現できる
さらに、請求項４にかかる発明によれば、従来から使用していた接続端子を容易に基板上に固定することができるとともに、固定具の各接続端子及び基板に対する上下位置を確実に位置決めすることができる。
【００２８】
さらに、請求項５にかかる発明によれば、固定具を基板に対して安定した状態で強固に係止することができる。
さらに、請求項６にかかる発明によれば、極めて簡易な作業で、固定具を介して複数の接続端子を電気装置の筺体に対して固定することができる。
さらに、請求項７にかかる発明によれば、固定具を基板に容易に係止することができ、かつ、一旦基板に係止した固定具は、その係止状態が解除され難くなる。
さらに、請求項８にかかる発明によれば、複数の接続端子は固定具によってより強固に基板上に固定される。
さらに、請求項９にかかる発明によれば、低コストかつ容易に量産可能であるとともに、複数の接続端子の固定作業にも適した固定具を提供することができる。
【発明を実施するための最良の形態】
【００２９】
図１は、本願発明の一実施形態にかかる、固定具と複数の接続端子と基板とを斜視図により示している。
同図に示すように、固定具１０は、概略、後方壁２０と側面保持用リブ３０と右脚部４０と左脚部５０と突出面６０とからなる。なお、同突出面６０は、上記請求項２の記載においては、取付面に該当する。
後方壁２０は、固定具１０を複数の接続端子７０に装着した際に、各接続端子７０の背面を覆うものであり、上下方向に一定の幅ｂを有した略矩形状の薄板部材である。後方壁２０の左右方向の長さｄ１と、最も左側に位置する接続端子７０の左側面と最も右側に位置する接続端子７０の右側面との距離ｄ２とは、略一致する。また、後方壁２０の下端の所定位置からは、下方向に向かって延設後方壁２１が延設されている。同延設後方壁２１は、後述するように、後方壁２０の高さ位置よりも背の低い接続端子７０を後方から支持するために設けた壁面である。
【００３０】
後方壁２０の各接続端子７０の背面と相対する面上の複数箇所からは、側面保持用リブ３０が前方向に向かって延設されている。側面保持用リブ３０は、各接続端子７０に装着した際に各接続端子７０の右側面を覆う側面保持用リブ３０ａと左側面を覆う側面保持用リブ３０ｂとを一組として、複数組が形成されている。本実施形態においては、側面保持用リブ３０ａの所定箇所に切欠部３０ａ１が形成されている。
後方壁２０の左右両端には、右脚部４０と左脚部５０とが夫々設けられている。右脚部４０，左脚部５０は、後方壁２０の左右両端において前方向に延出するとともに、各先端部位４１，５１を基板８０に係止するために、下方向に向かって後方壁２０の上下幅ｂよりも長い距離延設されている。
【００３１】
ここで、右脚部４０及び左脚部５０は、上記側面保持用リブ３０と同様の働きをも果たす。つまり、右脚部４０，左脚部５０は、それぞれ後方壁２０上の各側面保持用リブ３０のうち最も近くの側面保持用リブ３０との間の空間に接続端子７０を収容し、右脚部４０は最も右に位置する接続端子７０の右側面を覆い、左脚部５０は最も左に位置する接続端子７０の左側面を覆う。また、右脚部４０，左脚部５０は各先端部位４１，５１において、一の側面から突出した段部４１ａ，５１ａと、同段部４１ａ，５１ａの外端から各脚部４０，５０の先端に向けて各先端が先細りとなる方向に傾斜する斜面４１ｂ，５１ｂとを夫々有している。
【００３２】
後方壁２０の一部からは、突出面６０が後方壁２０と略平行に前方向に突出している。つまり、同図に示すように、後方壁２０は、後方壁２０を上から見た場合にコの字状に屈曲する一部分を有している。同コの字状に屈曲している部分のうち後方壁２０と略平行となる突出面６０には、ビス穴６１が一つ形成されている。
【００３３】
次に、複数の接続端子７０及び基板８０について説明する。各接続端子７０は、基板８０に形成された図示しないパターンと電気的に接続するため、基板８０上の所定位置に配置された上で基板８０に対して半田付けされる。また、各接続端子７０を実装した基板８０は、テレビジョンの製品組み立て時において、テレビジョンキャビネット９０の所定位置に取付けられる。基板８０がテレビジョンキャビネット９０に取付けられた際には、各接続端子７０の略円筒形状のソケット７１は、テレビジョンキャビネット９０に形成された所定の円穴を介して、その先端部位を外部に露出させる。
基板８０は、右脚部４０の先端部位４１及び左脚部５０の先端部位５１と夫々対向する位置に、各先端部位４１，５１を挿入するための貫通穴８１，８２を形成している。
【００３４】
各接続端子７０は、側面上の所定位置に突出部７２を備えており、同突出部７２にはビス止め用のビス穴７２ａが形成されている。従来は、図５に示すように、各接続端子７０を一つずつテレビジョンキャビネット９０の所定位置にビス７２ｂ等で固定していたからである。図５は、従来における各接続端子７０のテレビジョンキャビネット９０への固定態様を示している。なお、同図はテレビジョンキャビネット９０のリア側の一部を示している。
【００３５】
図１の説明を続ける。同図に示すように、各接続端子７０は１個〜３個のソケット７１を、縦方向に連ねるように備えており、その高さも不揃いである。最も左に位置してソケット７１を縦方向に３個備える接続端子７０に注目すると、例えば、映像信号ラインに対応する上段のソケット７１ａと、左の音声信号ラインに対応する中段のソケット７１ｂと、右の音声信号ラインに対応する下段のソケット７１ｃとを備えている場合が考えられる。
一般に、基板８０に実装すべき接続端子７０の数や、各接続端子７０が備えるソケット７１の数は、製造するテレビジョンの機種によって異なる。そこで、本願発明においては、機種によって基板８０に実装される接続端子７０の数が異なったり、各接続端子７０の高さが不揃いである場合でも、同型の固定具１０によって各接続端子７０を基板８０上に固定できるようにしている。従って、同図に示した接続端子７０の数や、各接続端子７０が備えるソケット７１の数は一例に過ぎず、これらの数は限定されない。
【００３６】
図２は、固定具１０によって複数の接続端子７０を基板８０上に固定した状態を正面から示している。
同図においては、後方壁２０が統一された高さ位置で各接続端子７０の背面側を通過している。具体的には、後方壁２０は中段のソケット７１ｂの高さ位置において各接続端子７０の背面側を覆っている。ここで、後方壁２０の高さ位置よりも背の低い接続端子７０（以下、一ピン用接続端子７０ａ）は、延設後方壁２１によって、その背面の一部を覆われている。このように、後方壁２０等が各接続端子７０の背面を一部の範囲ずつ覆うことにより、各接続端子７０は固定具１０によって背面側から支持される。従って、各接続端子７０は前方向からの負荷を受けても、後方に位置ずれしたり、傾いたりすることが防止される。また、各接続端子７０の背面の全範囲を覆う場合と比べて使用する材料が少なくて済む為、固定具１０の製造コストを抑えることができる。
【００３７】
一ピン用接続端子７０ａを除く各接続端子７０は、左右両側を側面保持用リブ３０等によって覆われている。すなわち、各右側面は側面保持用リブ３０ａによって覆われ、各左側面は側面保持用リブ３０ｂによって覆われている。また、各接続端子７０のうち最も右に位置するものは、右側面を右脚部４０によって覆われ、各接続端子７０のうち最も左に位置するものは、左側面を左脚部５０よって覆われている。その結果、各接続端子７０は、左右方向からの負荷を受けても、かかる負荷によって左右方向に位置ずれしたり、傾いたりすることが無くなる。
【００３８】
ここで、各接続端子７０が有する突出部７２のうち幾つかは、側面保持用リブ３０ａに形成された切欠部３０ａ１を通過した状態となっている。かかる切欠部３０ａ１を側面保持用リブ３０ａの途中に形成することで、従来からの突出部７２を有した形状の接続端子７０を左右両側から保持することができる。なお、右脚部４０における、接続端子７０の有する突出部７２と対応する箇所にも切欠部４２が形成されており、同切欠部４２を突出部７２が通過している。
【００３９】
上記のように、切欠部３０ａ１，４２を突出部７２が通過するように固定具１０を各接続端子７０に装着すれば、各接続端子７０に対する固定具１０の上下方向の位置が確実に位置決めされる。また、各接続端子７０に対する固定具１０の上下位置が定まることによって、固定具１０の基板８０に対する上下位置も定まる。その結果、基板８０に係止可能な長さに延設されている右脚部４０，左脚部５０は、常に同じ深さだけ各先端部位４１，５１を貫通穴８１，８２に挿入することができる。さらに、各接続端子７０が上下方向の負荷を受けた場合であっても、突出部７２が切欠部３０ａ１，４２の上下の縁部に当接するために上下方向への動きが禁止される。
【００４０】
先端部位４１，５１が貫通穴８１，８２に夫々挿入される場合の態様について、先端部位４１と貫通穴８１を例に説明する。この場合、先ず斜面４１ｂが貫通穴８１の開口縁部８１ａに当たる。そして、先端部位４１が深く挿入されるに従って、斜面４１ｂと開口縁部８１ａとの当接位置が、右脚部４０の先端から段部４１ａの外端に向かう方向に移動する。先端部位４１を貫通穴８１に挿入していき、段部４１ａが完全に貫通穴８１を通過した時点で、先端部位４１の挿入作業は完了する。なお、貫通穴８１の左右方向の幅と、段部４１ａ部分における先端部位４１の左右方向の幅とは、略同等の大きさに形成し、段部４１ａが貫通穴８１を通過する際に若干無理入れになるようにする。
【００４１】
ここで、斜面４１ｂと開口縁部８１ａとがその当接位置を移動させていく間、右脚部４０は、段部４１ａが突出する方向とは逆の方向に若干ではあるが徐々に湾曲していく。段部４１ａが貫通穴８１を通過しきった際、右脚部４０の湾曲状態は解除され、下方向に略真直ぐに延設された元の状態に戻る。
段部４１ａ部分における先端部位４１の左右方向の幅と貫通穴８１の左右方向の幅とは略同等であり、段部４１ａは右脚部４０の一の側面から突出しているため、基板８０の裏側に出た段部４１ａは、その外端が貫通穴８１の裏側の開口縁部よりも外に達する。従って、同図に示す深さまで貫通穴８１に挿入された先端部位４１は、貫通穴８１から抜け難くなる。かかる先端部位４１と貫通穴８１との例と同様に、先端部位５１も貫通穴８２に挿入される。その結果、固定具１０全体が基板８０に対して強固に係止される。
【００４２】
ここで、突出面６０が形成される位置は何ら限定されるものではないが、同図においては、一ピン用接続端子７０ａを背面側から覆う延設後方壁２１の上方に、後方壁２０の一部をコの字状の屈曲させた部分を形成している。かかる構成とすれば、延設後方壁２１によって一ピン用接続端子７０ａを背面側から支持し、後方向への動きを禁止するとともに、同コの字状の屈曲させた部分の下端部位を一ピン用接続端子７０ａの上面に当接させて、同一ピン用接続端子７０ａの上下方向への動きを禁止することができる。
なお、同図においては、延設後方壁２１上に側面保持用リブ３０を形成していないが、同側面保持用リブ３０を形成することにより、一ピン用接続端子７０ａを左右両側からも支持する構成としてもよい。
【００４３】
上記構成に加えて、組を成す側面保持用リブ３０ａと側面保持用リブ３０ｂとの間の距離や、右脚部４０と右脚部４０と最も近い側面保持用リブ３０ｂとの間の距離や、左脚部５０と左脚部５０と最も近い側面保持用リブ３０ａとの間の距離を、各接続端子７０を圧入して装着する必要がある程度の長さに設定してもよい。側面保持用リブ３０ａと側面保持用リブ３０ｂとの間等に圧入された各接続端子７０の左右側面には側面保持用リブ３０等が確実に密着するため、各接続端子７０は、より強力に固定具１０によって基板８０上に固定される。
【００４４】
図３は、固定具１０によって上記図２に示した数よりも少ない数の接続端子７０を基板８０上に固定した状態を正面から示している。
固定具１０は複数の接続端子７０に装着可能であるが、必ずしも装着可能な最大の数の接続端子７０に装着する必要はない。テレビジョンの機種によっては、基板８０に実装する接続端子７０の数が少ない場合もある。
同図においては、固定具１０は最大６体の接続端子７０に装着して基板８０上に固定可能であるところ、４体の接続端子７０に装着して基板８０上に固定している。すなわち、基板８０に実装する接続端子７０の数が少ない場合でも、同型の固定具１０を用いて、各接続端子７０を基板８０上に固定することができる。なお、固定具１０が固定可能な接続端子７０の最大数は何ら限定されるものではなく、種々のテレビジョンの機種のうち、最も多くの接続端子７０を基板８０に実装する機種に適用可能な形状に固定具１０を形成すればよい。
【００４５】
図４は、固定具１０をテレビジョンキャビネット９０に固定した状態を上から示している。
固定具１０によって強固に固定された各接続端子７０を始め、図示しない種々の電子部品を実装した基板８０は、テレビジョンキャビネット９０の所定位置に取付けられる。基板８０をテレビジョンキャビネット９０に取付けると、突出面６０とテレビジョンキャビネット９０の内壁とが略接触する。上述の通り、突出面６０にはビス穴６１が形成されている。そこで、同ビス穴６１と相対するテレビジョンキャビネット９０上の部位にもビス穴を設け、両ビス穴にビス６２を通して固定具１０とテレビジョンキャビネット９０とを固定する。
【００４６】
各接続端子７０は固定具１０によって強固に支持されているため、固定具１０をテレビジョンキャビネット９０に対して一箇所のみで固定すれば、各接続端子７０は、固定具１０を介して間接的にテレビジョンキャビネット９０に固定されたことになる。すなわち、図５に示す従来例のように各接続端子７０を一つずつテレビジョンキャビネット９０に固定する必要が無く、短時間で、かつ容易に各接続端子７０をテレビジョンキャビネット９０に対して固定することができる。また、固定具１０によって、基板８０及びテレビジョンキャビネット９０に対して固定された各接続端子７０は、ユーザがプラグ類を抜差しする際の負荷等によっても、位置ずれしたり、傾いたりすることが無くなる。
【００４７】
ここで、固定具１０は、樹脂製の成型品とするとよい。樹脂製の成型品とすれば、一つの金型で固定具１０を容易に量産でき、一つ当たりの生産コストも低くできる。また、樹脂製とすれば、ある程度の弾性を有するため、各接続端子７０に装着する作業や、先端部位４１，５１を貫通穴８１，８２に挿入する作業が比較的容易となる。ただし、固定具１０の素材として樹脂製に限定する必要はなく、鉄板など、種々の素材を加工して固定具１０を生産可能であることは言うまでも無い。
本実施形態においては、筺体及び内部に収容する基板に接続端子を固定する電気装置としてテレビジョンを例に説明を行ったきたが、接続端子を筺体及び基板に固定する必要がある機器であれば、ビデオプレーヤ、ＤＶＤプレーヤ等、種々のＡＶ機器に本願にかかる固定構造を適用可能である。
【００４８】
このように、各接続端子７０は、固定具１０の後方壁２０等によって背面側を支持され、側面保持用リブ３０等によって左右側面を支持されることにより、基板８０上に強固に固定され、特に、半田付け時に生じやすい各接続端子７０の傾きを防止できる。また、基板８０をテレビジョンキャビネット９０に取付ける際には、固定具１０とテレビジョンキャビネット９０とを一箇所で固定し、各接続端子７０を少ない作業でテレビジョンキャビネット９０に対して強固に固定する。その結果、各接続端子７０に強度の負荷がかかって生じ得るいわゆるパターン剥がれを防止できる。
【図面の簡単な説明】
【００４９】
【図１】本願発明の一実施形態にかかる固定具と複数の接続端子と基板とを示した斜視図である。
【図２】固定具によって複数の接続端子を基板上に固定した状態を示した正面図である。
【図３】固定具によって複数の接続端子を基板上に固定した状態を示した正面図である。
【図４】基板をテレビジョンキャビネットに取付けた状態を上方から示した図である。
【図５】従来における、複数の接続端子をテレビジョンキャビネットに固定した状態を示した図である。
【符号の説明】
【００５０】
１０…固定具
２０…後方壁
２１…延設後方壁
３０，３０ａ，３０ｂ…側面保持用リブ
３０ａ１，４２…切欠部
４０…右脚部
５０…左脚部
４１，５１…先端部位
４１ａ，５１ａ…段部
４１ｂ，５１ｂ…斜面
６０…突出面
６１，７２ａ…ビス穴
７０…接続端子
７０ａ…一ピン用接続端子
７２…突出部
８０…基板
８１，８２…貫通穴
９０…テレビジョンキャビネット
【図１】
2005150004.tif 000003
【図２】
2005150004.tif 000004
【図３】
2005150004.tif 000005
【図４】
2005150004.tif 000006
【図５】
2005150004.tif 000007